【事件の表示】
　特願２０１４−１３４８１５号「遊技機」拒絶査定不服審判事件〔平成２８年１月２１日出願公開、特開２０１６−１０６３８号〕について、次のとおり審決する。
【結　論】
　本件審判の請求は、成り立たない。
【理　由】
第１　手続の経緯
　本願は、平成２６年６月３０日の出願であって、平成２７年８月３１日付けで拒絶理由通知がなされ、同年１１月６日付けで手続補正がなされ、平成２８年５月１３日付けで拒絶査定がなされ、これに対して、平成２８年８月９日付けで拒絶査定不服審判の請求がなされるとともに手続補正（以下、「
本件補正」という。）がなされたものである。
第２　本件補正についての補正却下の決定
［補正却下の決定の結論］
　本件補正を却下する。
［理由］
１　本件補正の概要
　本件補正は、特許請求の範囲を補正する内容を含んでおり、本件補正により、特許請求の範囲は、
（補正前：平成２７年１１月６日付け手続補正）
「【請求項１】
　図柄始動手段が遊技球を検出することに基づいて取得される変動記憶情報に基づいて図柄を変動表示する図柄表示手段と、
　前記変動記憶情報を前記図柄表示手段による図柄変動に供されるまで所定の上限個数を限度として記憶する情報記憶手段と、
　前記図柄表示手段による変動後の停止図柄が特定態様となった場合に利益状態を発生させる利益状態発生手段と、
　前記情報記憶手段に記憶された前記変動記憶情報の個数に関する保留個数情報を保留表示部に表示可能な保留個数情報表示手段と、
　前記図柄表示手段による図柄変動中に、一又は複数段階の演出ステップよりなるステップアップ演出を実行可能なステップアップ演出実行手段とを備えた
　遊技機において、
　前記保留表示部は、第１保留表示部と第２保留表示部とを含み、
　前記保留個数情報表示手段は、画像表示手段とは別に設けた前記第１保留表示部に前記保留個数情報を表示する第１保留個数情報表示手段と、前記画像表示手段の前記第２保留表示部に前記保留個数情報を表示する第２保留個数情報表示手段とを含み、
　前記ステップアップ演出における前記演出ステップが特定段階に達した場合に、前記第１保留個数情報表示手段による前記保留個数情報の表示については前側から視認可能な状態を維持しつつ、前記第２保留個数情報表示手段の前記第２保留表示部に表示されている前記保留個数情報の少なくとも一部を前側から視認不可能な状態にするように構成し、
　前記停止図柄が前記特定態様とならない場合には、前記演出ステップが前記特定段階に達するステップアップ演出よりも前記特定段階に達しないステップアップ演出の方を高い確率で選択する
　ことを特徴とする遊技機。」
から、
（補正後：本件補正である平成２８年８月９日付け手続補正）
「【請求項１】
　図柄始動手段が遊技球を検出することに基づいて取得される変動記憶情報に基づいて図柄を変動表示する図柄表示手段と、
　前記変動記憶情報を前記図柄表示手段による図柄変動に供されるまで所定の上限個数を限度として記憶する情報記憶手段と、
　前記図柄表示手段による変動後の停止図柄が特定態様となった場合に利益状態を発生させる利益状態発生手段と、
　前記情報記憶手段に記憶された前記変動記憶情報の個数に関する保留個数情報を保留表示部に表示可能な保留個数情報表示手段と、
　前記図柄表示手段による図柄変動中に、一又は複数段階の演出ステップよりなるステップアップ演出を実行可能なステップアップ演出実行手段とを備えた
　遊技機において、
　前記保留表示部は、第１保留表示部と第２保留表示部とを含み、
　前記保留個数情報表示手段は、画像表示手段とは別に設けた前記第１保留表示部に前記保留個数情報を表示する第１保留個数情報表示手段と、前記画像表示手段の前記第２保留表示部に前記保留個数情報を表示する第２保留個数情報表示手段とを含み、
　前記ステップアップ演出における前記演出ステップが特定段階に達した場合に、前記第１保留個数情報表示手段による前記保留個数情報の表示については前側から視認可能な状態を維持しつつ、前記第２保留個数情報表示手段の前記第２保留表示部
については前記保留個数情報の表示を維持したままでその少なくとも一部を隠すように前記第２保留表示部の前側に可動体を移動させ
　前記停止図柄が前記特定態様とならない場合には、前記演出ステップが前記特定段階に達するステップアップ演出よりも前記特定段階に達しないステップアップ演出の方を高い確率で選択する
　ことを特徴とする遊技機。」
に補正された（下線は、補正箇所を明示するために当審で付した。）。
２　本件補正の適否
　本件補正は、請求項１に記載した発明を特定するために必要な事項である「前記ステップアップ演出における前記演出ステップが特定段階に達した場合」における「前記第２保留表示部」に関して、補正前には、「表示されている前記保留個数情報の少なくとも一部を前側から視認不可能な状態にする」とされていた点を、「
前記保留個数情報の表示を維持したままでその少なくとも一部を隠すように前記第２保留表示部の前側に可動体を移動させ
　そうすると、本件補正は、補正前の記載では「表示されている前記保留個数情報の少なくとも一部」をどのようにして「前側から視認不可能な状態」にするのかが特定されていなかったところを、「
前記保留個数情報の表示を維持したままでその少なくとも一部を隠すように前記第２保留表示部の前側に可動体を移動させ
　したがって、本件補正は、補正前の請求項１に記載した発明を特定するために必要な事項である「前記ステップアップ演出における前記演出ステップが特定段階に達した場合」における「前記第２保留表示部」に関して、保留個数情報の少なくとも一部を前側から視認不可能な状態にする際の当該保留個数情報の表示状態を特定するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項に違反するところはない。
３　独立特許要件
　そこで、本件補正後の請求項１に記載された発明（以下、「本願補正発明」という。）が特許法第１７条の２第６項において準用する同法第１２６条第７項の規定に適合するか（特許出願の際独立して特許を受けることができるものであるか）について以下に検討する。
（１）　本願補正発明
　本願補正発明は、上記１の本件補正の概要において示した次のとおりのものである（Ａ〜Ｊは、審判請求書において請求人が付したＡ〜Ｊに合わせて、本願補正発明を分説するため当審で付した。）。
「【請求項１】
Ａ　図柄始動手段が遊技球を検出することに基づいて取得される変動記憶情報に基づいて図柄を変動表示する図柄表示手段と、
Ｂ　前記変動記憶情報を前記図柄表示手段による図柄変動に供されるまで所定の上限個数を限度として記憶する情報記憶手段と、
Ｃ　前記図柄表示手段による変動後の停止図柄が特定態様となった場合に利益状態を発生させる利益状態発生手段と、
Ｄ　前記情報記憶手段に記憶された前記変動記憶情報の個数に関する保留個数情報を保留表示部に表示可能な保留個数情報表示手段と、
Ｅ　前記図柄表示手段による図柄変動中に、一又は複数段階の演出ステップよりなるステップアップ演出を実行可能なステップアップ演出実行手段とを備えた
Ｆ　遊技機において、
Ｇ　前記保留表示部は、第１保留表示部と第２保留表示部とを含み、
Ｈ　前記保留個数情報表示手段は、画像表示手段とは別に設けた前記第１保留表示部に前記保留個数情報を表示する第１保留個数情報表示手段と、前記画像表示手段の前記第２保留表示部に前記保留個数情報を表示する第２保留個数情報表示手段とを含み、
Ｉ　前記ステップアップ演出における前記演出ステップが特定段階に達した場合に、前記第１保留個数情報表示手段による前記保留個数情報の表示については前側から視認可能な状態を維持しつつ、前記第２保留個数情報表示手段の前記第２保留表示部については前記保留個数情報の表示を維持したままでその少なくとも一部を隠すように前記第２保留表示部の前側に可動体を移動させるように構成し、
Ｊ　前記停止図柄が前記特定態様とならない場合には、前記演出ステップが前記特定段階に達するステップアップ演出よりも前記特定段階に達しないステップアップ演出の方を高い確率で選択する
　ことを特徴とする遊技機。」
（２）　刊行物に記載された事項
ア　刊行物１
　原査定の拒絶の理由に引用された特開２０１１−１５６１４８号公報（以下、「刊行物１」という。）には、次の事項が記載されている（下線は当審で付した。）。
（ア）　「【００１１】
　前記課題を解決するために、本発明の請求項１に記載の遊技機は、
　始動条件の成立（普通入賞球装置６Ａにより形成される第１始動入賞口に始動入賞したこと。普通可変入賞球装置６Ｂにより形成される第２始動入賞口に始動入賞したこと）にもとづいて、各々を識別可能な複数種類の識別情報（第１特別図柄、第２特別図柄または飾り図柄）の可変表示を行う可変表示手段（第１特別図柄表示器８ａ、第２特別図柄表示器８ｂ、画像表示装置５）を備え、前記可変表示手段に
表示結果を導出することで遊技の結果を確定し、遊技の結果が
大当り遊技結果
となったときに遊技者にとって有利な特定遊技状態に移行
パチンコ遊技機１
　前記始動条件の成立にもとづいて、前記識別情報の可変表示を行う権利を所定の上限数（例えば４）を限度として記憶する保留記憶手段（第１特図保留記憶部１５１Ａ、第２特図保留記憶部１５１Ｂ、特図保留記憶部１９５）と、
　前記可変表示手段における所定の保留表示領域（画像表示装置５の第１保留記憶数表示エリア５Ｄ、第２保留記憶数表示エリア５Ｕ）に、所定の保留特定情報を前記保留記憶手段に記憶された権利の数を特定可能に表示する保留表示制御手段（演出制御用ＣＰＵ１２０において、保留記憶表示制御処理を実行する部分）と、
　前記可変表示手段における前記保留表示領域に重畳しない非重畳位置（格納位置）から該可変表示手段における前記保留表示領域の少なくとも一部に重畳する重畳位置（前面位置）に可動可能（例えば図５６（ａ）（ｂ）参照）に設けられる可動物（シャッタ３８Ｈ，３８Ｌ）と、
　所定条件の成立にもとづいて、前記可動物を前記非重畳位置から前記重畳位置に移動させる可動演出（疑似連の演出、ステップアップ予告演出、ノーマルリーチ２の演出、スーパーリーチの演出、エンディング演出）を実行する可動演出実行手段（演出制御用ＣＰＵ１２０において、例えば、ステップＳ７３６，７３７を実行する部分）と、
　を備え、
　前記保留表示制御手段は、前記可動演出実行手段が前記可動演出を実行するときに、表示中の保留特定情報を消去するとともに、新たな始動条件の成立にもとづく保留特定情報の表示を禁止する（演出制御用ＣＰＵ１２０が保留表示中止フラグがセットされているときにステップＳ９２２を実行する部分、図５７〜図６１参照）、
　ことを特徴としている。」
（イ）　「【００１９】
・・・
画像表示装置５
飾り図柄を可変表示する
（ウ）　「【００２１】
　このように、画像表示装置５の表示領域では、第１特別図柄表示装置４Ａによる第１特図を用いた特図ゲーム、又は、第２特別図柄表示装置４Ｂによる第２特図を用いた特図ゲームと同期して、各々が識別可能な複数種類の飾り図柄の可変表示を行い、
可変表示結果となる確定飾り図柄を導出表示
【００２２】
　
画像表示装置５
飾り図柄表示エリア５Ｌ、５Ｃ、５Ｒ
（エ）　「【００２４】
　画像表示装置５の表示領域には、表示領域下方隅部には、第１保留記憶数が表示される第１保留記憶数表示エリア５Ｄが形成（配置）されているとともに、これら第１保留記憶数表示エリア５Ｄと対角位置となる表示領域上方隅部には、第２保留記憶数が表示される第２保留記憶数表示エリア５Ｕが形成（配置）されている。
第１保留記憶数表示エリア５Ｄ
保留数
を特定可能に表示
第２保留記憶数表示エリア５Ｕ
保留数
を特定可能に表示する保留記憶表示
飾り図柄の可変表示といった可変表示ゲームを実行するための始動条件
は成立したが、
可変表示ゲームを開始するための開始条件は成立していないときに
（オ）　「【００２８】
　また、これら第１保留記憶数表示エリア５Ｄ並びに第２保留記憶数表示エリア５Ｕとともに、あるいは第１保留記憶数表示エリア５Ｄ並びに第２保留記憶数表示エリア５Ｕに代えて、特図保留記憶数を表示する表示器を設けるようにしてもよい。図１に示す例では、これら
第１保留記憶数表示エリア５Ｄ並びに第２保留記憶数表示エリア５Ｕとともに、
特図保留記憶数を特定可能に表示する
第１保留表示器２５Ａ
第２保留表示器２５Ｂ
設け
（カ）　「【００３３】
　普通入賞球装置６Ａに形成された第１始動入賞口を通過（進入）した
遊技球
第１始動口スイッチ２２Ａによって検出され
遊技球
第２始動口スイッチ２２Ｂによって検出され
第１始動条件が成立
第２始動条件が成立
（キ）　「【００６６】
　・・・「
ステップアップ表示
の予告演出
飾り図柄の可変表示中に
予め用意された複数種類の演出画像を所定の順番に従って切り換えて表示させる演出表示により、演出態様が複数段階に
ステップアップ
するような演出動作
予め用意された複数種類の演出画像のうちいずれか１つ
（ク）　「【０１５９】
　第１特図保留記憶部１５１Ａは、普通入賞球装置６Ａが形成する第１始動入賞口に遊技球が入賞して第１始動条件は成立したが第１開始条件は成立していない特図ゲーム（第１特別図柄表示装置４Ａにおける第１特図を用いた特図ゲーム）の保留データを記憶する。一例として、第１特図保留記憶部１５１Ａは、第１始動入賞口への入賞順（遊技球の検出順）に保留番号と関連付けて、その遊技球の通過（進入）における
第１始動条件
成立に基づいて
抽出された特図表示結果決定用の乱数値ＭＲ１や大当り種別決定用の乱数値ＭＲ２、変動パターン種別決定用の乱数値ＭＲ３を示す数値データなど
保留データ
記憶数が所定の上限値
に達するまで記憶する
第１特図保留記憶部１５１Ａ
【０１６０】
　第２特図保留記憶部１５１Ｂは、普通可変入賞球装置６Ｂが形成する第２始動入賞口に遊技球が入賞して第２始動条件は成立したが第２開始条件は成立していない特図ゲーム（第２特別図柄表示装置４Ｂにおける第２特図を用いた特図ゲーム）の保留データを記憶する。一例として、第２特図保留記憶部１５１Ｂは、第２始動入賞口への入賞順（遊技球の検出順）に保留番号と関連付けて、その遊技球の通過（進入）における
第２始動条件
成立に基づいて
抽出された特図表示結果決定用の乱数値ＭＲ１や大当り種別決定用の乱数値ＭＲ２、変動パターン種別決定用の乱数値ＭＲ３を示す数値データなど
保留データ
数が所定の上限値
に達するまで記憶する
第２特図保留記憶部１５１Ｂ
（ケ）　「【０２４７】
　図２２（Ｂ）に示す設定例では、ハズレとなる変動パターンであるＳＰＢ２−１、ＳＰＢ２−２、ＳＰＡ３−１、ＳＰＡ３−２においては、末尾がＮであるシャッタ画像を表示する図柄変動制御パターンに対して判定値数が多く割り当てられる一方、末尾がＰであるシャッタ３８Ｈ，３８Ｌが動作する図柄変動制御パターンに対して判定値数が少なく割り当てられ、当りとなる変動パターンであるＳＰＢ４−１、ＳＰＢ４−２、ＳＰＡ５−１、ＳＰＡ５−２においては、末尾がＮであるシャッタ画像を表示する図柄変動制御パターンに対して判定値数が少なく割り当てられる一方、末尾がＰであるシャッタ３８Ｈ，３８Ｌが動作する図柄変動制御パターンに対して判定値数が多く割り当てられていることで、ハズレとなる場合にはリーチ成立時に画像表示装置５にシャッタ画像が表示される場合が多く決定され、大当りとなる場合にはリーチ成立時にシャッタ３８Ｈ，３８Ｌが動作する場合が多く決定されることで、
シャッタ３８Ｈ，３８Ｌが動作した場合には大当りとなる可能性が高く、シャッタ３８Ｈ，３８Ｌが動作しない場合
には大当りとなる可能性が低い
（コ）　「【０２５０】
　尚、これら図２３に示す表示系予告種別に対応した予告演出制御パターンには、シャッタ３８Ｈ，３８Ｌの動作制御を有するものと、シャッタ３８Ｈ，３８Ｌを動作させずにシャッタの画像を画像表示装置５に表示する表示制御を有するものとを含んでいる。具体的には、予告演出の種別としてステップアップ予告が決定された場合において設定される予告演出制御パターンＳＴＡ２−２〜ＳＴＡ２−４には、ステップアップ時においてシャッタ３８Ｈ，３８Ｌを動作（一時的に閉状態とする動作）させる動作制御が含まれており、
第２ステップ以上に発展するステップアップ予告では、ステップアップ時
においてシャッタ３８Ｈ，３８Ｌを
閉状態とする動作が実施される
（サ）　「【０２５９】
　保留表示中止フラグ制御データには、保留表示中止フラグのセット或いはリセットを指示するデータが含まれていれば良く、例えば、これら保留表示中止フラグのセットを指示する保留表示中止フラグ制御データが、シャッタ制御データによってシャッタ３８Ｈ，３８Ｌのいずれかが動作される直前のプロセスデータや、トリガボタン３１Ａやプッシュボタン３１Ｂの操作を有効に検出する操作有効期間が開始される時点のプロセスデータに含まれるように設定されることで、
シャッタ３８Ｈ，３８Ｌのいずれかが動作する直前
に、第１保留記憶数表示エリア５Ｄ並びに第２保留記憶数表示エリア５Ｕにおける
保留
数
保留
数の表示が
非表示状態とされ
（シ）　「【０２７５】
　図５３に示すように、シャッタユニット５００は、中央に横長長方形状の
開口５０３
【０２７６】
　シャッタユニット５００は、特に図示はしないが、開口５０３の背面に設けられる画像表示装置５の前面側に起立姿勢で配設される。開口５０３は、枠板５０２の背面側に配設される
画像表示装置５の表示面とほぼ同形に形成され
（ス）　「【０５０８】
　なお、本発明にける保留記憶表示の非重畳位置とは、シャッタ３８Ｈ，３８Ｌが完全に格納されている格納位置となる初期値位置のみを示すものではなく、シャッタ３８Ｈ，３８Ｌが完全に格納されていないが、
シャッタ３８Ｈ，３８Ｌが保留記憶表示を隠すことのない
非重畳位置となっ
時点において、
非表示とされた保留記憶表示を再度表示する
（セ）　「【０５６７】
　この実施の形態では、図５８に示すように、ステップアップ予告演出が実施される場合においては、予告演出の各変化（ステップアップ）時においてシャッタ３８Ｈ，３８Ｌが動作する。具体的には、第１ステップから第２ステップへの変化（
ステップアップ
時において
シャッタ３８Ｌが画像表示装置５の下側半分の表示領域を一時的に覆うように上方へ移動した後、所定の格納位置に戻る
ステップアップ
時において
シャッタ３８Ｈが画像表示装置５の上側半分の表示領域を一時的に覆うように下方へ移動した後、所定の格納位置に戻る
ステップアップ
時において
シャッタ３８Ｈ，３８Ｌが画像表示装置５の全表示領域を一時的に覆うように移動した後、所定の格納位置に戻る
（ソ）　図１には、
第１保留表示器２５Ａ、第２保留表示器２５Ｂは、画像表示装置５と別に、
設けられ
（タ）　図２３には、「予告演出制御パターン」が「ＳＴＡ２−１」の場合に、予告演出の「内容」として「
第１ステップのみ
を行う
シャッタ動作
無し
（チ）　図５３及び図５６には、
シャッタ３８Ｈ、３８Ｌは、
開口５０３を塞ぐように
移動するのみ
　上記記載事項（ア）〜（セ）及び図面の図示内容（ソ）〜（チ）から、以下の事項が導かれる。
（ツ）  上記（カ）の【００３３】には「
遊技球
第１始動口スイッチ２２Ａ
第２始動口スイッチ２２Ｂによって検出され
第１始動条件が成立
第２始動条件が成立
第１始動条件
第２始動条件
成立に基づいて
抽出された特図表示結果決定用の乱数値ＭＲ１や大当り種別決定用の乱数値ＭＲ２、変動パターン種別決定用の乱数値ＭＲ３を示す数値データなど
保留データ
第１始動口スイッチ２２Ａ又は第２始動口スイッチ２２Ｂによって遊技球が検出されて第１始動条件又は第２始動条件が成立したことに基づいて抽出された特図表示結果決定用の乱数値ＭＲ１や大当り種別決定用の乱数値ＭＲ２、変動パターン種別決定用の乱数値ＭＲ３を示す数値データなどの保留データ
　また、上記（エ）の【００２４】には「
飾り図柄の可変表示といった可変表示ゲーム
を開始するための開始条件は成立していないときに
飾り図柄の可変表示
保留データに基づいて
　さらに、上記（イ）の【００１９】には「
画像表示装置５
飾り図柄を可変表示する
画像表示装置５
飾り図柄表示エリア５Ｌ、５Ｃ、５Ｒ
飾り図柄を可変表示する画像表示装置５の飾り図柄表示エリア５Ｌ、５Ｃ、５Ｒ
　したがって、上記（イ）〜（エ）、（カ）及び（ク）には、
第１始動口スイッチ２２Ａ又は第２始動口スイッチ２２Ｂによって遊技球が検出されて第１始動条件又は第２始動条件が成立したことに基づいて抽出された特図表示結果決定用の乱数値ＭＲ１や大当り種別決定用の乱数値ＭＲ２、変動パターン種別決定用の乱数値ＭＲ３を示す数値データなどの保留データに基づいて飾り図柄を可変表示する画像表示装置５の飾り図柄表示エリア５Ｌ、５Ｃ、５Ｒ
（テ）　上記（エ）の【００２４】には「
飾り図柄の可変表示といった可変表示ゲームを実行するための始動条件
は成立したが、
可変表示ゲームを開始するための開始条件は成立していないときに
保留データ
記憶数が所定の上限値
に達するまで
第１特図保留記憶部１５１Ａ
第２特図保留記憶部１５１Ｂ
　したがって、上記（エ）及び（ク）には、
飾り図柄の可変表示といった可変表示ゲームを実行するための始動条件は成立したが、可変表示ゲームを開始するための開始条件が成立していないときに、記憶数が所定の上限値に達するまで保留データを記憶する第１特図保留記憶部１５１Ａ又は第２特図保留記憶部１５１Ｂ
（ト）　上記（ウ）の【００２１】には「画像表示装置５の表示領域では、・・・飾り図柄の可変表示を行い、
可変表示結果となる確定飾り図柄を導出表示
表示結果を導出することで遊技の結果を確定し、遊技の結果が
大当り遊技結果
となったときに遊技者にとって有利な特定遊技状態に移行
　また、上記（ツ）に示したとおり、上記（ウ）の【００２２】には「
画像表示装置５
飾り図柄表示エリア５Ｌ、５Ｃ、５Ｒ
　したがって、上記（ア）、（ウ）には、
画像表示装置５の飾り図柄表示エリア５Ｌ、５Ｃ、５Ｒに可変表示結果となる確定飾り図柄を導出表示することで遊技の結果を確定し、遊技の結果が大当り遊技結果となったときに遊技者にとって有利な特定遊技状態に移行させる手段
（ナ）　上記（ソ）から、図１には、第１保留表示器２５Ａ、第２保留表示器２５Ｂは、画像表示装置５と別に設けられている点が図示されているといえる。
　また、上記（エ）の【００２４】には「
第１保留記憶数表示エリア５Ｄ
保留数
を特定可能に表示
第２保留記憶数表示エリア５Ｕ
保留数
を特定可能に表示する保留記憶表示
保留
数を特定可能に表示する
第１保留表示器２５Ａ
第２保留表示器２５Ｂ
設け
　したがって、図１、上記（エ）及び（オ）には、
画像表示装置５とは別に設けた第１保留表示器２５Ａ、第２保留表示器２５Ｂに保留数を表示する手段と、画像表示装置５の第１保留記憶数表示エリア５Ｄ、第２保留記憶数表示エリア５Ｕに保留数を表示する手段
（ニ）　上記（オ）の【００２８】には「
第１保留記憶数表示エリア５Ｄ並びに第２保留記憶数表示エリア５Ｕとともに、
特図保留記憶数を特定可能に表示する
第１保留表示器２５Ａ
第２保留表示器２５Ｂ
設け
　また、上記（シ）、上記（チ）の図５３及び図５６から、シャッタ３８Ｈ、３８Ｌは、画像表示装置５の表示面とほぼ同形に形成された開口５０３を塞ぐように移動するのみであるといえる。そして、上記（ナ）に示したとおり、図１に、第１保留表示器２５Ａ、第２保留表示器２５Ｂは、画像表示装置５と別に設けられている点が図示されており、シャッタ３８Ｈ、３８Ｌにより、第１保留表示器２５Ａ、第２保留表示器２５Ｂが視認不可能にならないことは明らかである。
　したがって、シャッタ３８Ｈ、３８Ｌが移動しても、画像表示装置５とは別に設けた第１保留表示器２５Ａ、第２保留表示器２５Ｂによる表示は前側から視認可能な状態が維持されるといえる。
（ヌ）　上記（コ）の【０２５０】には「
第２ステップ以上に発展するステップアップ予告では、ステップアップ時
においてシャッタ３８Ｈ，３８Ｌを
閉状態とする動作が実施される
　そうすると、ステップアップ予告演出において、第２ステップ以上に達した場合に、シャッタ３８Ｈ、３８Ｌが移動するといえる。
（ネ）　上記（サ）、（ス）、（セ）、（ニ）及び（ヌ）から、
ステップアップ予告演出において、第２ステップ以上に達した場合
第１保留表示器２５Ａ、第２保留表示器２５Ｂによる表示は前側から視認可能な状態が維持されつつ、
第１保留記憶数表示エリア５Ｄ並びに第２保留記憶数表示エリア５Ｕにおける保留数の表示が非表示状態とされ、
シャッタ３８Ｈ、３８Ｌが移動して保留記憶表示を隠し、さらにシャッタ３８Ｈ、３８Ｌが移動して保留記憶表示を隠すことのない非重畳位置となった時点で、非表示とされた保留記憶表示を再度表示する
　以上（ア）〜（ネ）から、刊行物１には、次の発明が記載されていると認められる（以下、「引用発明」という。ａ〜ｊは引用発明を分説するため当審で付した。）。
「ａ　第１始動口スイッチ２２Ａ又は第２始動口スイッチ２２Ｂによって遊技球が検出されて第１始動条件又は第２始動条件が成立したことに基づいて抽出された特図表示結果決定用の乱数値ＭＲ１や大当り種別決定用の乱数値ＭＲ２、変動パターン種別決定用の乱数値ＭＲ３を示す数値データなどの保留データに基づいて飾り図柄を可変表示する画像表示装置５の飾り図柄表示エリア５Ｌ、５Ｃ、５Ｒと（ツ）、
ｂ　飾り図柄の可変表示といった可変表示ゲームを実行するための始動条件は成立したが、可変表示ゲームを開始するための開始条件が成立していないときに、記憶数が所定の上限値に達するまで保留データを記憶する第１特図保留記憶部１５１Ａ又は第２特図保留記憶部１５１Ｂと（テ）、
ｃ　画像表示装置５の飾り図柄表示エリア５Ｌ、５Ｃ、５Ｒに可変表示結果となる確定飾り図柄を導出表示することで遊技の結果を確定し、遊技の結果が大当り遊技結果となったときに遊技者にとって有利な特定遊技状態に移行させる手段と（ト）、
ｄ　保留数を特定可能に表示する第１保留表示器２５Ａ、第２保留表示器２５Ｂ、第１保留記憶数表示エリア５Ｄ、第２保留記憶数表示エリア５Ｕによって保留記憶表示を行う手段と（【００２４】、【００２８】）、
ｅ　飾り図柄の可変表示中に、予め用意された複数種類の演出画像のうちいずれか１つ又は複数種類の演出画像を所定の順番に従って切り換えて表示させる演出表示により、演出態様が複数段階にステップアップするような演出動作を行うステップアップ予告演出を実行する手段とを備えた（【００６６】）
ｆ　パチンコ遊技機１において（【００１１】）、
ｇ　第１保留記憶数表示エリア５Ｄ、第２保留記憶数表示エリア５Ｕとともに、第１保留表示器２５Ａ、第２保留表示器２５Ｂとを設け（【００２４】、【００２８】）、
ｈ　画像表示装置５とは別に設けた第１保留表示器２５Ａ、第２保留表示器２５Ｂに保留数を表示する手段と、画像表示装置５の第１保留記憶数表示エリア５Ｄ、第２保留記憶数表示エリア５Ｕに保留数を表示する手段とを含み（ナ）、
ｉ　ステップアップ予告演出において、第２ステップ以上に達した場合に、第１保留表示器２５Ａ、第２保留表示器２５Ｂによる表示は前側から視認可能な状態が維持されつつ、第１保留記憶数表示エリア５Ｄ並びに第２保留記憶数表示エリア５Ｕにおける保留数の表示が非表示状態とされ、シャッタ３８Ｈ、３８Ｌが移動して保留記憶表示を隠し、さらにシャッタ３８Ｈ、３８Ｌが移動して保留記憶表示を隠すことのない非重畳位置となった時点で、非表示とされた保留記憶表示を再度表示するように構成し（ネ）、
ｊ　シャッタ３８Ｈ、３８Ｌが動作した場合には大当りとなる可能性が高く、シャッタ３８Ｈ、３８Ｌが動作しない場合には大当りとなる可能性が低いパチンコ遊技機１。（【０２４７】）」
イ　刊行物２
　当審で新たに示す特開２０１３−１５０６６２号公報（以下、「刊行物２」という。）には、図面と共に次の事項が記載されている（下線は当審で付した。）。
「【０１３１】
　前述した実施形態では、第１，第２保留表示画像Ｘ，Ｙは、保留表示可動部材８１の表示画面２１ａへの進出に連動して破裂消滅させているが、進出してきた
保留表示可動部材８１が
第１，第２保留表示画像Ｘ，Ｙに重なって
第１，第２保留表示画像Ｘ，Ｙが隠れてしまい遊技者からは見えない
第１，第２保留表示画像Ｘ，Ｙの表示を
そのまま表示継続
（３）　対比
　本願補正発明と引用発明とを対比する。対比の見出しとしての（ａ）〜（ｊ）は引用発明の分説構成と対応させた。
（ａ）　引用発明の「第１始動口スイッチ２２Ａ又は第２始動口スイッチ２２Ｂ」によって「遊技球」が「検出」されること、「特図表示結果決定用の乱数値ＭＲ１や大当り種別決定用の乱数値ＭＲ２、変動パターン種別決定用の乱数値ＭＲ３を示す数値データなどの保留データ」、「飾り図柄」を「可変表示」すること、「画像表示装置５の飾り図柄表示エリア５Ｌ、５Ｃ、５Ｒ」は、それぞれ、本願補正発明の「図柄始動手段」が「遊技球」を「検出」すること、「変動記憶情報」、「図柄」を「変動表示」すること、「図柄表示手段」に相当する。
　また、引用発明において「第１始動口スイッチ２２Ａ又は第２始動口スイッチ２２Ｂによって遊技球が検出されて第１始動条件又は第２始動条件が成立したことに基づいて」「保留データ」を「抽出」することは、本願補正発明において「図柄始動手段が遊技球を検出することに基づいて」「変動記憶情報」を「取得」することに相当する。
　したがって、引用発明の「第１始動口スイッチ２２Ａ又は第２始動口スイッチ２２Ｂによって遊技球が検出されて第１始動条件又は第２始動条件が成立したことに基づいて抽出された特図表示結果決定用の乱数値ＭＲ１や大当り種別決定用の乱数値ＭＲ２、変動パターン種別決定用の乱数値ＭＲ３を示す数値データなどの保留データに基づいて飾り図柄を可変表示する画像表示装置５の飾り図柄表示エリア５Ｌ、５Ｃ、５Ｒ」は、本願補正発明の「図柄始動手段が遊技球を検出することに基づいて取得される変動記憶情報に基づいて図柄を変動表示する図柄表示手段」に相当する。
（ｂ）　引用発明における「保留データ」は、「飾り図柄の可変表示といった可変表示ゲーム」の「開始条件が成立していないとき」に当該開始条件が成立するまで記憶されるものであって、「図柄表示手段による図柄変動に供されるまで」記憶されるものであることは明らかである。
　また、引用発明において「記憶数が所定の上限値に達するまで」記憶することは、本願補正発明において「所定の上限個数を限度として」記憶することに相当し、また、引用発明の「第１特図保留記憶部１５１Ａ又は第２特図保留記憶部１５１Ｂ」は、本願補正発明の「情報記憶手段」に相当する。
　したがって、引用発明の「飾り図柄の可変表示といった可変表示ゲームを実行するための始動条件は成立したが、可変表示ゲームを開始するための開始条件が成立していないときに、記憶数が所定の上限値に達するまで保留データを記憶する第１特図保留記憶部１５１Ａ又は第２特図保留記憶部１５１Ｂ」は、本願補正発明の「前記変動記憶情報を前記図柄表示手段による図柄変動に供されるまで所定の上限個数を限度として記憶する情報記憶手段」に相当する。
（ｃ）　引用発明において、「画像表示装置５の飾り図柄表示エリア５Ｌ、５Ｃ、５Ｒ」に「導出表示」される「可変表示結果となる確定飾り図柄」は、本願補正発明の「前記図柄表示手段による変動後の停止図柄」に相当する。そして、引用発明において、「可変表示結果となる確定飾り図柄を導出表示することで遊技の結果を確定し、遊技の結果が大当り遊技結果となったとき」には、当該導出表示された確定飾り図柄が、当該大当り遊技結果に対応した特定の態様になることは明らかであるから、本願補正発明において、「変動後の停止図柄が特定態様となった場合」に相当する。
　また、引用発明において、「遊技者にとって有利な特定遊技状態」に「移行」させることは、本願補正発明において、「利益状態」を「発生」させることに相当する。
　したがって、引用発明の「画像表示装置５の飾り図柄表示エリア５Ｌ、５Ｃ、５Ｒに可変表示結果となる確定飾り図柄を導出表示することで遊技の結果を確定し、遊技の結果が大当り遊技結果となったときに遊技者にとって有利な特定遊技状態に移行させる手段」は、本願補正発明の「前記図柄表示手段による変動後の停止図柄が特定態様となった場合に利益状態を発生させる利益状態発生手段」に相当する。
（ｄ）　引用発明における「保留数」は、「第１特図保留記憶部１５１Ａ又は第２特図保留記憶部１５１Ｂ」に記憶された「保留データ」の個数に関する情報であることは明らかであるから、本願補正発明における「前記情報記憶手段に記憶された前記変動記憶情報の個数に関する保留個数情報」に相当する。
　また、引用発明の「第１保留表示器２５Ａ、第２保留表示器２５Ｂ、第１保留記憶数表示エリア５Ｄ、第２保留記憶数表示エリア５Ｕ」は、本願補正発明の「保留表示部」に相当する。
　そして、引用発明は「保留記憶表示」を行うことで、「保留数」を特定可能に「表示」していることは明らかであるから、引用発明において、「第１保留表示器２５Ａ、第２保留表示器２５Ｂ、第１保留記憶数表示エリア５Ｄ、第２保留記憶数表示エリア５Ｕ」によって「保留記憶表示」を行い得ることは、本願補正発明において、「保留表示部」に「保留個数情報」を「表示可能」とすることに相当する。
　したがって、引用発明の「保留数を特定可能に表示する第１保留表示器２５Ａ、第２保留表示器２５Ｂ、第１保留記憶数表示エリア５Ｄ、第２保留記憶数表示エリア５Ｕによって保留記憶表示を行う手段」は、本願補正発明の「前記情報記憶手段に記憶された前記変動記憶情報の個数に関する保留個数情報を保留表示部に表示可能な保留個数情報表示手段」に相当する。
（ｅ）　引用発明の「飾り図柄の可変表示中」、「予め用意された複数種類の演出画像のうちいずれか１つ又は複数種類の演出画像を所定の順番に従って切り換えて表示させる演出表示により、演出態様が複数段階にステップアップするような演出動作を行うステップアップ予告演出」は、それぞれ、本願補正発明の「前記図柄表示手段による図柄変動中」、「一又は複数段階の演出ステップよりなるステップアップ演出」に相当する。
　したがって、引用発明の「飾り図柄の可変表示中に、予め用意された複数種類の演出画像のうちいずれか１つ又は複数種類の演出画像を所定の順番に従って切り換えて表示させる演出表示により、演出態様が複数段階にステップアップするような演出動作を行うステップアップ予告演出を実行する手段」は、本願補正発明の「前記図柄表示手段による図柄変動中に、一又は複数段階の演出ステップよりなるステップアップ演出を実行可能なステップアップ演出実行手段」に相当する。
（ｆ）　引用発明の「パチンコ遊技機１」は、本願補正発明の「遊技機」に相当する。
（ｇ）　引用発明の「第１保留表示器２５Ａ、第２保留表示器２５Ｂ」及び「第１保留記憶数表示エリア５Ｄ、第２保留記憶数表示エリア５Ｕ」は、上記（ｄ）に示したとおり、本願補正発明の「保留表示部」に相当する。
　また、引用発明の「第１保留表示器２５Ａ、第２保留表示器２５Ｂ」は、本願補正発明の「第１保留表示部」に相当し、引用発明の「第１保留記憶数表示エリア５Ｄ、第２保留記憶数表示エリア５Ｕ」は、本願補正発明の「第２保留表示部」に相当する。
　したがって、引用発明において「第１保留記憶数表示エリア５Ｄ、第２保留記憶数表示エリア５Ｕとともに、第１保留表示器２５Ａ、第２保留表示器２５Ｂとを設け」ることは、本願補正発明において「前記保留表示部は、第１保留表示部と第２保留表示部とを含」むことに相当する。
（ｈ）　引用発明において、「画像表示装置５とは別に設けた第１保留表示器２５Ａ、第２保留表示器２５Ｂ」に「保留数」を「表示」する手段は、本願補正発明において、「画像表示手段とは別に設けた前記第１保留表示部」に「前記保留個数情報」を「表示」する「第１保留個数情報表示手段」に相当する。
　また、引用発明において、「画像表示装置５の第１保留記憶数表示エリア５Ｄ、第２保留記憶数表示エリア５Ｕ」に「保留数」を「表示」する手段は、本願補正発明において、「前記画像表示手段の前記第２保留表示部」に「前記保留個数情報」を「表示」する「第２保留個数情報表示手段」に相当する。
　したがって、引用発明において「画像表示装置５とは別に設けた第１保留表示器２５Ａ、第２保留表示器２５Ｂに保留数を表示する手段と、画像表示装置５の第１保留記憶数表示エリア５Ｄ、第２保留記憶数表示エリア５Ｕに保留数を表示する手段とを含」むことは、本願補正発明において「前記保留個数情報表示手段は、画像表示手段とは別に設けた前記第１保留表示部に前記保留個数情報を表示する第１保留個数情報表示手段と、前記画像表示手段の前記第２保留表示部に前記保留個数情報を表示する第２保留個数情報表示手段とを含」むことに相当する。
（ｉ）　引用発明の「ステップアップ予告演出」において「第２ステップ以上に達した場合」は、本願補正発明の「前記ステップアップ演出」において演出ステップが「特定段階に達した場合」に相当する。
　また、引用発明において「第１保留表示器２５Ａ、第２保留表示器２５Ｂによる表示は前側から視認可能な状態が維持され」ることは、本願補正発明において「前記第１保留個数情報表示手段による前記保留個数情報の表示については前側から視認可能な状態を維持」することに相当する。
　さらに、引用発明の「シャッタ３８Ｈ、３８Ｌ」は、本願補正発明の「可動体」に相当する。
　そして、引用発明は「第１保留記憶数表示エリア５Ｄ並びに第２保留記憶数表示エリア５Ｕ」に関して、「シャッタ３８Ｈ、３８Ｌが移動して保留記憶表示を隠」すから、引用発明と本願補正発明は「前記第２保留個数情報表示手段の前記第２保留表示部」に関して、「前記保留個数情報の表示」の「少なくとも一部を隠すように前記第２保留表示部の前側に可動体を移動させる」点で共通する。
（ｊ）　上記（ｉ）から、引用発明は、「第２ステップ以上」の「ステップアップ予告演出」において「シャッタ３８Ｈ、３８Ｌ」が移動し、「第２ステップ以上」に達しない第１ステップのみの「ステップアップ予告演出」において「シャッタ３８Ｈ、３８Ｌ」が移動しないといえる。
　さらに、引用発明において、「シャッタ３８Ｈ、３８Ｌが動作した場合には大当りとなる可能性が高く、シャッタ３８Ｈ、３８Ｌが動作しない場合には大当りとなる可能性が低い」ということは、大当りとならない場合には、「シャッタ３８Ｈ、３８Ｌ」が移動する可能性より「シャッタ３８Ｈ、３８Ｌ」が移動しない可能性の方が高いことが明らかである。
　そして、引用発明の大当りとならない場合、つまり本願補正発明の「前記停止図柄」が「前記特定態様」とならない場合の、ステップアップ予告演出においても、「シャッタ３８Ｈ、３８Ｌ」が移動する可能性より「シャッタ３８Ｈ、３８Ｌ」が移動しない可能性の方が高くされ、「シャッタ３８Ｈ、３８Ｌ」が移動する演出（第２ステップ以上）よりも、「シャッタ３８Ｈ、３８Ｌ」が移動しない演出の方（第１ステップのみ）が高い確率で選択されるようにされることは明らかである。
　また、引用発明における、「第２ステップ以上」の「ステップアップ予告演出」、「第２ステップ以上」に達しない第１ステップのみの「ステップアップ予告演出」、「パチンコ遊技機１」は、それぞれ、本願補正発明における、「特定段階に達するステップアップ演出」、「特定段階に達しないステップアップ演出」、「遊技機」に相当する。
　したがって、引用発明の「シャッタ３８Ｈ、３８Ｌが動作した場合には大当りとなる可能性が高く、シャッタ３８Ｈ、３８Ｌが動作しない場合には大当りとなる可能性が低いパチンコ機１」は、本願補正発明の「前記停止図柄が前記特定態様とならない場合には、前記演出ステップが前記特定段階に達するステップアップ演出よりも前記特定段階に達しないステップアップ演出の方を高い確率で選択する遊技機」に相当する。
　以上（ａ）〜（ｊ）の検討より、本願補正発明と引用発明とは、
「Ａ　図柄始動手段が遊技球を検出することに基づいて取得される変動記憶情報に基づいて図柄を変動表示する図柄表示手段と、
Ｂ　前記変動記憶情報を前記図柄表示手段による図柄変動に供されるまで所定の上限個数を限度として記憶する情報記憶手段と、
Ｃ　前記図柄表示手段による変動後の停止図柄が特定態様となった場合に利益状態を発生させる利益状態発生手段と、
Ｄ　前記情報記憶手段に記憶された前記変動記憶情報の個数に関する保留個数情報を保留表示部に表示可能な保留個数情報表示手段と、
Ｅ　前記図柄表示手段による図柄変動中に、一又は複数段階の演出ステップよりなるステップアップ演出を実行可能なステップアップ演出実行手段とを備えた
Ｆ　遊技機において、
Ｇ　前記保留表示部は、第１保留表示部と第２保留表示部とを含み、
Ｈ　前記保留個数情報表示手段は、画像表示手段とは別に設けた前記第１保留表示部に前記保留個数情報を表示する第１保留個数情報表示手段と、前記画像表示手段の前記第２保留表示部に前記保留個数情報を表示する第２保留個数情報表示手段とを含み、
Ｉ’　前記ステップアップ演出における前記演出ステップが特定段階に達した場合に、前記第１保留個数情報表示手段による前記保留個数情報の表示については前側から視認可能な状態を維持しつつ、前記第２保留個数情報表示手段の前記第２保留表示部については前記保留個数情報の表示の少なくとも一部を隠すように前記第２保留表示部の前側に可動体を移動させるように構成し、
Ｊ　前記停止図柄が前記特定態様とならない場合には、前記演出ステップが前記特定段階に達するステップアップ演出よりも前記特定段階に達しないステップアップ演出の方を高い確率で選択する遊技機。」
の点で一致し、以下の点で相違する。
［相違点］：ステップアップ演出における演出ステップが特定段階に達して、第２保留表示部の前側に可動体を移動させる際の、当該第２保留表示部における保留個数情報の表示について、本願補正発明では「表示を維持したまま」とするのに対し、引用発明ではそのような構成でない点。（Ｉ）
（４）　判断
ア　相違点について
　上記「（２）　イ」に示した刊行物２に記載された事項において、「保留表示可動部材８１」、「第１，第２保留表示画像Ｘ，Ｙ」、「そのまま表示継続」することは、それぞれ、本願補正発明の「可動体」、「保留個数情報の表示」、「表示を維持したまま」にすることに相当する。
　そうすると、刊行物２には、可動体が保留個数情報の表示に重なって、保留個数情報の表示が隠れてしまい遊技者からは見えない場合には、保留個数情報の表示を維持したままにすることが記載されているといえる。
　そして、引用発明と刊行物２に記載された事項は、保留個数情報の表示位置の前側に可動体が移動することで、保留個数情報の表示が隠れてしまい遊技者からは見えなくなる点で共通するから、引用発明においてシャッタ３８Ｈ、３８Ｌが移動して保留記憶表示を隠す際に、刊行物２に記載された事項を適用し、遊技者から見えなくなる保留記憶表示を非表示にせず、表示を維持したままにすることで、上記相違点に係る本願補正発明の構成とすることは、当業者であれば容易になし得たことである。
イ　請求人の主張及び本願補正発明が奏する効果について
　請求人は本願補正発明について、審判請求書（３頁下から５行〜４頁１９行）において、「ａ）・・・第２保留表示部の前側に可動体を移動して保留個数情報の少なくとも一部を隠す場合でもその保留個数情報の表示は維持されるため、例えば可動体が動作不能となった場合にそのまま演出を実行しても画像表示内容が不自然になることを防止できるという利点があります。また、可動体を動作させる場合とそうでない場合とで画像表示制御を共通化できるため、記憶容量等を削減できるという利点もあります。更に、画像表示制御と可動体制御とを厳密に同期させる必要がないため、制御が容易であるという利点もあります」と主張し、また、刊行物１について、「ｂ）・・・Ｉの構成を備えていない点で・・・明らかに相違し・・・、例えば可動体が動作不能となった場合にそのまま演出を実行すると画像表示内容が不自然になってしまうという問題があります。また、可動体を動作させる場合とそうでない場合とで画像表示制御が異なるため、必要な記憶容量が増大し、また画像表示制御と可動体制御とを厳密に同期させる必要があるために高精度の制御が要求されるという問題もあります」と主張する。
　しかしながら、請求人が主張する「第２保留表示部の前側に可動体を移動して保留個数情報の少なくとも一部を隠す場合でもその保留個数情報の表示は維持される」という点、つまり上記相違点については、上記アに示したとおり、引用発明及び刊行物２に記載された事項から、当業者であれば容易になし得たことであるし、請求人が主張する効果を含め上記相違点によって本願補正発明が奏する効果は、当業者が引用発明及び刊行物２に記載された事項から予測し得る程度のものであって、格別のものではない。
　したがって、請求人の主張は採用することができない。
（５）　まとめ 
　以上のように、本願補正発明は、当業者が引用発明及び刊行物２に記載された事項に基づいて容易に発明をすることができたものであるから、特許法第２９条第２項の規定により、特許出願の際独立して特許を受けることができない。
４　補正却下の決定についてのむすび
　上記３より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項に係る発明（以下、「本願発明」という。）は、平成２７年１１月６日付け手続補正書により補正された特許請求の範囲に記載された次のとおりのものである（Ａ〜Ｊは本願発明を分説するため当審で付した。）。
「【請求項１】
Ａ　図柄始動手段が遊技球を検出することに基づいて取得される変動記憶情報に基づいて図柄を変動表示する図柄表示手段と、
Ｂ　前記変動記憶情報を前記図柄表示手段による図柄変動に供されるまで所定の上限個数を限度として記憶する情報記憶手段と、
Ｃ　前記図柄表示手段による変動後の停止図柄が特定態様となった場合に利益状態を発生させる利益状態発生手段と、
Ｄ　前記情報記憶手段に記憶された前記変動記憶情報の個数に関する保留個数情報を保留表示部に表示可能な保留個数情報表示手段と、
Ｅ　前記図柄表示手段による図柄変動中に、一又は複数段階の演出ステップよりなるステップアップ演出を実行可能なステップアップ演出実行手段とを備えた
Ｆ　遊技機において、
Ｇ　前記保留表示部は、第１保留表示部と第２保留表示部とを含み、
Ｈ　前記保留個数情報表示手段は、画像表示手段とは別に設けた前記第１保留表示部に前記保留個数情報を表示する第１保留個数情報表示手段と、前記画像表示手段の前記第２保留表示部に前記保留個数情報を表示する第２保留個数情報表示手段とを含み、
Ｉ’　前記ステップアップ演出における前記演出ステップが特定段階に達した場合に、前記第１保留個数情報表示手段による前記保留個数情報の表示については前側から視認可能な状態を維持しつつ、前記第２保留個数情報表示手段の前記第２保留表示部に表示されている前記保留個数情報の少なくとも一部を前側から視認不可能な状態にするように構成し、
Ｊ　前記停止図柄が前記特定態様とならない場合には、前記演出ステップが前記特定段階に達するステップアップ演出よりも前記特定段階に達しないステップアップ演出の方を高い確率で選択する
　ことを特徴とする遊技機。」 
２　刊行物に記載された事項
　刊行物１の記載事項、認定事項及び刊行物１に記載された発明（引用発明）については、上記「第２　３　（２）　ア」に示したとおりである。
３　対比、判断
　本願発明は、「前記ステップアップ演出における前記演出ステップが特定段階に達した場合」の「前記第２保留表示部」に関して、上記「第２　３　（１）」に示した本願補正発明から、「前記保留個数情報の表示を維持したまま」という点を実質的に省いて、「表示されている前記保留個数情報の少なくとも一部を前側から視認不可能な状態にする」としたものである。
　しかしながら、引用発明は、「保留数の表示が非表示状態」とされて、表示されている保留個数情報の少なくとも一部を前側から「視認不可能な状態」にされており、上記の実質的に省いたものである。
　したがって、本願発明は、刊行物１に記載された発明であるか、又は、当業者が刊行物１に記載された発明に基づいて容易に発明をすることができたものである。
４　むすび
　以上のとおりであるから、本願発明は、特許法第２９条第１項第３号に該当し又は同条第２項の規定により、特許を受けることができない。
　したがって、本願は拒絶すべきものである。
　よって、結論のとおり審決する。